(57)【要約】【課題】  背面に備えられた基板をコンパクトに収納する遊技機を提供する。【解決手段】  電源基板２５を収納した電源基板ボックス２０が機構板１０に設置される。そして、電源基板ボックス２０を覆うように主基板ベース３０が設けられており、主基板ベース３０の正面（図８における上方向の面）に主基板ボックス（図示外）が設置される。主基板ベース３０の背面（図８における下方向の面）には、突出部材４０が設けられており、電源基板ボックス２０のカーバ部２１の正面２１ａに当接するため、主基板ボックスと電源基板ボックス２０との距離が保てるため、電源基板から発生する熱の影響を避けることができる。また、係止板部３５２の先端が受部材６０の係止受部６２に係止されるため、主基板ベース３０を開いた状態で保持でき、電源基板ボックス２０を取り扱う際に主基板ベース３０が邪魔にならない。【選択図】  図８
2005261664.tif 000002
【特許請求の範囲】
【請求項１】
遊技機を設置するための外枠と、当該外枠に一端側が軸支され開閉可能であり、かつ、遊技媒体が流下する遊技盤を保持する中枠と、当該中枠の背面に設置され、遊技球を払い出す遊技球払出装置、当該遊技球払出装置に供給される遊技球を貯留する遊技球タンク及び遊技機の種々の制御を司る基板が設置される機構板と、遊技機の電源供給を司る電源基板と、遊技機の遊技の制御を司る主基板とを備えた遊技機において、
前記機構板の遊技機における背面側には、
前記電源基板を収納した電源基板ケースを前記機構板に設置するための設置部材と、
当該設置部材により前記機構板に設置された前記電源基板ケースを覆う略長方形の主基板ベースと、当該主基板ベースを前記電源基板ケースの上方にて上下方向に回動可能に軸支する主基板ベース固定部材とが設けられており、
前記主基板ベースには、
前記電源基板ケースを覆う状態において前記電源基板ケースと対向する面とは反対側の面である、前記主基板ベースの外面に、内部に前記主基板が設置された略直方体の主基板ケースが備えられており、
前記電源基板ケースからの距離を保つための突出部材が背面に立設されていることを特徴とする遊技機。
【請求項２】
前記主基板ベース固定部材は、
遊技機の前面側への可撓性を有する受部材を備え、
当該受部材は、
遊技機の背面側に立設された係止部受部を備え、
前記主基板ベースは、
前記受部材に対向する位置に、前記係止部受部に係止される係止部が前記主基板ベースの回動軸の軸線と平行に立設された係止部材を備え、
当該主基板ベースを回動させて、前記係止部材を前記係止部受部に係止させることにより、前記電源基板ケースを覆わない状態で保持可能であることを特徴とする請求項１に記載の遊技機。
【請求項３】
前記係止部材は放射状に複数の係止部を備えており、前記主基板ベースを異なる角度で保持可能なことを特徴とする請求項２に記載の遊技機。
【請求項４】
前記設置部材は、上へ向いた１つ又は複数の鉤部材であり、
前記電源基板ケースには、
前記鉤部材に係止する係止部材が備えられており、
当該係止部材が前記鉤部材に係止されることにより、前記電源基板ケースは前記機構板に設置され、
前記突出部材は、
その先端の下部に略直方体の切り欠きが設けられており、当該先端の切り欠き部が、前記電源基板ケースの正面及び上面の成す角において前記正面及び前記上面に当接することを特徴とする請求項１乃至３のいずれかに記載の遊技機。
【請求項５】
遊技機を設置するための外枠と、当該外枠に一端側が軸支され開閉可能であり、かつ、遊技媒体が流下する遊技盤を保持する中枠と、当該中枠の背面に設置され、遊技球を払い出す遊技球払出装置、当該遊技球払出装置に供給される遊技球を貯留する遊技球タンク及び遊技機の種々の制御を司る基板が設置される機構板と、遊技機の電源供給を司る電源基板と、遊技機の遊技の制御を司る主基板とを備えた遊技機において、
前記機構板の遊技機における背面側には、
前記電源基板を収納した電源基板ケースを前記機構板に設置するための上へ向いた１つ又は複数の鉤部材と、
当該設置部材により前記機構板に設置された前記電源基板をボックス覆う略長方形の主基板ベースを、前記電源基板の上方にて上下方向に回動可能に軸支する主基板ベース固定部材とが設けられており、
前記電源基板ケースには、
前記鉤部材に係止する係止部材が備えられており、
当該係止部材が前記鉤部材に係止されることにより、前記電源基板は前記機構板に設置され、
前記主基板ベースには、
前記電源基板ケースを覆う状態において前記電源基板ケースと対向する面とは反対側の面である、前記主基板ベースの外面に、内部に前記主基板が設置された略直方体の主基板ケースが備えられており、
当該主基板ベースの背面の、前記電源基板ケースを覆う状態において前記電源基板ケースの上面に当接する位置に立設され、前記電源基板ケースを下方向に押さえる押さえ部材が備えられていることを特徴とする遊技機。
【発明の詳細な説明】
【技術分野】
【０００１】
本発明は遊技機に関し、詳細には、背面に備えられた基板をコンパクトに収納する遊技機に関する。
【背景技術】
【０００２】
従来、パチンコ機等の遊技機には、背面側に遊技機を制御するための種々の基板が備えられている。図１５は、従来のパチンコ機１００の背面図である。図１５に示すように、パチンコ機１００の左下部背面には、パチンコ機１００の主制御を司る主基板（図示外）を収納した透明な樹脂製の主基板ボックス１０１が設けられ、主基板ボックス１０１の右隣には音基板（図示外）を収納した音基板ボックス１０２が、音基板ボックス１０２の右隣には払出基板（図示外）を収納した払出制御基板ボックス１０３が、その上方には電源基板（図示外）を収納した電源基板ボックス１０４が配置されている。また、遊技盤には液晶画面や各種ランプ、電動役物が備えられており、遊技盤の背面には液晶画面（図示外）の制御を行う図柄表示基板（図示外）や各種ランプや電動役物の制御を行う電飾基板（図示外）が設けられている。そして、これらの図柄表示基板や電飾基板、遊技盤の背面、各種配線はセンターカバー１０７により覆われて保護されている。また、パチンコ機１００の背面右側の中央には、遊技球を払い出したり、遊技球を貸し出したりする払出装置１０５が設けられている。また、パチンコ機１００の背面上部には遊技球タンク１０６が設けられており、遊技機設置島から供給された遊技球を貯留し、その遊技球を払出装置１０５へ供給する。
【特許文献１】なし
【発明の開示】
【発明が解決しようとする課題】
【０００３】
しかしながら、遊技機において、遊技領域となる遊技盤の面積や液晶画面の面積を広くしたいという要望がある。そのためには、遊技盤の背面以外に備えられている各種基板のサイズや、基板を収納するボックスのサイズを小型化したり、ボックスの配置方法を工夫することが考えられるが、電源基板はその性質上、熱を発するため、他の基板を電源基板から離さなければならないという問題点がある。また、基板ボックスを重ねて配置する場合には、奥に配置された基板を取り扱う際に、手前に配置されている基板ボックスが邪魔になるという問題点があった。
【０００４】
また、電源基板ボックスは電源基板が遊技機を動作させるための電源を供給するという性質上、主基板ボックスのように不正者に付け替えられるような心配もないため、主基板ボックスのようにかしめて固定する必要はなく、簡単のために単に電源基板ボックスを係止させて設置することも考えられているが、その場合には、遊技機を移動させる際に電源基板がずれてしまうという問題点がある。
【０００５】
本発明は、上記課題を解決するためになされたものであり、背面に備えられた基板をコンパクトに収納する遊技機を提供することを目的とする。
【課題を解決するための手段】
【０００６】
上記課題を解決するため、請求項１に係る発明の遊技機では、遊技機を設置するための外枠と、当該外枠に一端側が軸支され開閉可能であり、かつ、遊技媒体が流下する遊技盤を保持する中枠と、当該中枠の背面に設置され、遊技球を払い出す遊技球払出装置、当該遊技球払出装置に供給される遊技球を貯留する遊技球タンク及び遊技機の種々の制御を司る基板が設置される機構板と、遊技機の電源供給を司る電源基板と、遊技機の遊技の制御を司る主基板とを備えた遊技機において、前記機構板の遊技機における背面側には、前記電源基板を収納した電源基板ケースを前記機構板に設置するための設置部材と、当該設置部材により前記機構板に設置された前記電源基板ケースを覆う略長方形の主基板ベースと、当該主基板ベースを前記電源基板ケースの上方にて上下方向に回動可能に軸支する主基板ベース固定部材とが設けられており、前記主基板ベースには、前記電源基板ケースを覆う状態において前記電源基板ケースと対向する面とは反対側の面である、前記主基板ベースの外面に、内部に前記主基板が設置された略直方体の主基板ケースが備えられており、前記電源基板ケースからの距離を保つための突出部材が背面に立設されている。
【０００７】
また、請求項２に係る発明の遊技機では、請求項１に記載の発明の構成に加えて、前記主基板ベース固定部材は、遊技機の前面側への可撓性を有する受部材を備え、当該受部材は、遊技機の背面側に立設された係止部受部を備え、前記主基板ベースは、前記受部材に対向する位置に、前記係止部受部に係止される係止部が前記主基板ベースの回動軸の軸線と平行に立設された係止部材を備え、当該主基板ベースを回動させて、前記係止部材を前記係止部受部に係止させることにより、前記電源基板ケースを覆わない状態で保持可能であることを特徴とする構成となっている。
【０００８】
また、請求項３に係る発明の遊技機では、請求項２に記載の発明の構成に加えて、前記係止部材は放射状に複数の係止部を備えており、前記主基板ベースを異なる角度で保持可能なことを特徴とする構成となっている。
【０００９】
また、請求項４に係る発明の遊技機では、請求項１乃至３のいずれかに記載の発明の構成に加えて、前記設置部材は、上へ向いた１つ又は複数の鉤部材であり、前記電源基板ケースには、前記鉤部材に係止する係止部材が備えられており、当該係止部材が前記鉤部材に係止されることにより、前記電源基板ケースは前記機構板に設置され、前記突出部材は、その先端の下部に略直方体の切り欠きが設けられており、当該先端の切り欠き部が、前記電源基板ケースの正面及び上面の成す角において前記正面及び前記上面に当接することを特徴とする構成となっている。
【００１０】
また、請求項５に係る発明の遊技機では、遊技機を設置するための外枠と、当該外枠に一端側が軸支され開閉可能であり、かつ、遊技媒体が流下する遊技盤を保持する中枠と、当該中枠の背面に設置され、遊技球を払い出す遊技球払出装置、当該遊技球払出装置に供給される遊技球を貯留する遊技球タンク及び遊技機の種々の制御を司る基板が設置される機構板と、遊技機の電源供給を司る電源基板と、遊技機の遊技の制御を司る主基板とを備えた遊技機において、前記機構板の遊技機における背面側には、前記電源基板を収納した電源基板ケースを前記機構板に設置するための上へ向いた１つ又は複数の鉤部材と、当該設置部材により前記機構板に設置された前記電源基板をボックス覆う略長方形の主基板ベースを、前記電源基板の上方にて上下方向に回動可能に軸支する主基板ベース固定部材とが設けられており、前記電源基板ケースには、前記鉤部材に係止する係止部材が備えられており、当該係止部材が前記鉤部材に係止されることにより、前記電源基板は前記機構板に設置され、前記主基板ベースには、前記電源基板ケースを覆う状態において前記電源基板ケースと対向する面とは反対側の面である、前記主基板ベースの外面に、内部に前記主基板が設置された略直方体の主基板ケースが備えられており、当該主基板ベースの背面の、前記電源基板ケースを覆う状態において前記電源基板ケースの上面に当接する位置に立設され、前記電源基板ケースを下方向に押さえる押さえ部材が備えられている。
【発明の効果】
【００１１】
請求項１に係る発明の遊技機では、機構板の遊技機における背面側には、設置部材は、電源基板を収納した電源基板ケースを機構板に設置し、略長方形の主基板ベースは、設置部材により機構板に設置された電源基板ケースを覆い、主基板ベース固定部材は、主基板ベースを電源基板ケースの上方にて上下方向に回動可能に軸支することができる。また、主基板ベースは、内部に主基板が設置された略直方体の主基板ケースを、電源基板ケースを覆う状態において電源基板ケースと対向する面とは反対側の面である主基板ベースの外面に備えており、背面に立設された突出部材により、電源基板ケースからの距離を保つことができる。したがって、主基板ケースと電源基板ケースとを重ねて配置できるので、主基板ケースと電源基板ケースとをコンパクトに収納し、遊技機の背面のスペースを有効に使うことができる。尚、電源基板から主基板への距離を保つことができるので、主基板は電源基板による発熱の影響を受けにくい。
【００１２】
また、請求項２に係る発明の遊技機では、請求項１に記載の発明の効果に加えて、主基板ベース固定部材の受部材は、遊技機の前面側への可撓性を有しており、受部材には、遊技機の背面側に係止部受部が立設されており、主基板ベースは受部材に対向する位置に係止部材を備えており、主基板ベースの回動軸の軸線と平行に、係止部材に立設された係止部を係止部受部に係止することができる。また、主基板ベースを回動させて、係止部材を係止部受部に係止させることにより、電源基板ケースを覆わない状態で保持可能である。したがって、主基板ベースを開放した状態で留める事ができるので、作業しやすい。
【００１３】
また、請求項３に係る発明の遊技機では、請求項２に記載の発明の効果に加えて、係止部材に放射状に備えられた複数の係止部は、主基板ベースを異なる角度で保持可能である。したがって、複数の位置で主基板ベースを止められるので作業し易い。
【００１４】
また、請求項４に係る発明の遊技機では、請求項１乃至３のいずれかに記載の発明の効果に加えて、設置部材は、上へ向いた１つ又は複数の鉤部材であり、電源基板ケースの係止部材を鉤部材に係止させることができる。そして、係止部材が鉤部材に係止されることにより、電源基板ケースは機構板に設置することができる。また、突出部材は、その先端の下部に略直方体の切り欠きが設けられており、先端の切り欠き部が、電源基板ケースの正面及び上面の成す角において正面及び上面に当接する。したがって、突出部材により電源基板ケースを押さえることができるので、遊技機の移動時の電源基板ケースのズレを防ぐことができる。
【００１５】
また、請求項５に係る発明の遊技機では、機構板の遊技機における背面側に備えられた１つ又は複数の鉤部材は、電源基板を収納した電源基板ケースを機構板に設置するために上へ向いており、主基板ベース固定部材は、設置部材により機構板に設置された電源基板をボックス覆う略長方形の主基板ベースを、電源基板の上方にて上下方向に回動可能に軸支することができる。また、電源基板ケースに設けられた係止部材は鉤部材に係止し、係止部材を鉤部材に係止することにより、電源基板を機構板に設置することができる。また、主基板ベースには、電源基板ケースを覆う状態において電源基板ケースと対向する面とは反対側の面である、主基板ベースの外面に、内部に主基板が設置された略直方体の主基板ケースが備えられており、主基板ベースの背面の、電源基板ケースを覆う状態において電源基板ケースの上面に当接する位置に立設された押さえ部材は、電源基板ケースを下方向に押さえることができる。したがって、主基板ケースと電源基板ケースとを重ねて配置できるので、主基板ケースと電源基板ケースとをコンパクトに収納し、遊技機の背面のスペースを有効に使うことができる。尚、電源基板ケースを押さえ部材により押さえることができるので、遊技機の移動時の電源基板ケースのズレを防ぐことができる。
【発明を実施するための最良の形態】
【００１６】
以下、本発明の実施の形態を図面を参照して以下の順で説明する。図１は、本実施の形態のパチンコ機１の背面の斜視図である。図１に示すように、パチンコ機１は、パチンコ機１本体を支持する正面視略長方形状の外枠２を備えており、この外枠２により遊技場の遊技機設置島（図示外）に設置されている。図１に示すように、パチンコ機１の背面の左下部には、パチンコ機１の主制御を司る主基板（図示外）を収納した透明な樹脂製の主基板ボックス５０が設けられ、主基板ボックス５０の右隣には払出制御基板（図示外）を収納した払出制御基板ボックス５が設けられている。そして、払出制御基板ボックス５の右には、遊技機設置島に設置されたパチンコ機１の隣に設置され、現金やプリペイドカードを投入して、パチンコ機１で使用する遊技球を交換するためのカードユニット（図示外）と接続するためのカードユニット接続装置６が設けられている。
【００１７】
また、パチンコ機１の前面の上約半分には各種入賞口や役物、液晶画面を備えた遊技盤（図示外）が備えられている。そして、遊技盤の背面には液晶画面（図示外）の制御を行う図柄表示基板（図示外）や各種ランプや電動役物の制御を行う電飾基板（図示外）が設けられている。そして、これらの図柄表示基板や電飾基板、遊技盤の背面、各種配線はセンターカバー４により覆われて保護されている。また、カードユニット接続装置６の上部には、遊技機の前面に設けられている下皿（図示外）に遊技球を払い出す（排出する）ための払出装置７が設けられている。そして、パチンコ機１の背面上部、センターカバー４の上部には、遊技球タンク３が設けられており、遊技機設置島から供給された遊技球を貯留し、その遊技球を払出装置７へ供給する。
【００１８】
なお、外枠２の図１における右上及び右下には、上ヒンジ９１及び下ヒンジ９２がそれぞれ設けられており、パチンコ機１の前面側には略長方形の金属板の中枠９３が上ヒンジ９１及び下ヒンジ９２で回動可能に保持されている。この中枠９３には適宜開口部が設けられており、遊技盤（図示外）や遊技球タンク３、払出装置７等が設置されている。また、主基板ボックス５０及び払出制御基板ボックス５の奥には、機構板１０（図２参照）が中枠９３に取り付けられており、機構板１０に主基板ボックス５０及び払出制御基板ボックス５が取り付けられる。尚、主基板ボックス５０と機構板１０との間には電源基板ボックス２０が設置されている（図３参照）。
【００１９】
次に、図２乃至図９を参照して、機構板１０に取り付けられた電源基板ボックス２０及び主基板ベース３０について説明する。図２は、機構板１０に電源基板ボックス２０及び主基板ベース３０が取り付けられている状態の斜視図であり、図３は、図２の機構板１０、電源基板ボックス２０及び主基板ベース３０の分解斜視図であり、図４は、電源基板ボックス２０の正面図であり、図５は、機構板１０に電源基板ボックス２０が取り付けられている状態の正面図であり、図６は、図５におけるＣ−Ｃ’線における矢視方向の断面図であり、図７は、主基板ベース３０を開放した状態の斜視図であり、図８は、主基板ベース３０を開放した状態での、図５におけるＣ−Ｃ’線における矢視方向の断面図であり、図９は、図７における矢印Ｄ方向から主基板ベース３０を見た状態の部分斜視図であり、図１０は、係止部材３５の部分斜視図である。
【００２０】
図３及び図５に示すように、機構板１０の右半分には、遊技球の複数の通過樋８９が設けられた遊技球流下機構８０が設けられており、遊技領域から回収された遊技球や、機構板１０の右上部に設けられた払出装置７から払い出された遊技球が流下する。また、図３に示すように、左半分には電源基板ボックス２０が設置される電源基板設置壁１１が設けられている。そして、電源基板設置壁１１の上部には左側に落下した遊技球を遊技球流下機構８０へ導くための遊技球誘導樋８７が設けられており、その下部には主基板ベース固定部材７０をビスで固定するためのビス穴１８，１９が設けられている。また、電源基板設置壁１１の外側左には主基板ベース３０を固定するためのビス（図示外）が挿入される内部が空洞となっている円筒形である設置筒１４が立設されている。尚、電源基板設置壁１１の外側右にも主基板ベース３０を固定するための設置筒が設けられているが、図３においては遊技球流下機構８０の左面壁で隠れている。
【００２１】
まず、電源基板ボックス２０の機構板１０への設置について説明する。図３及び図４に示すように、電源基板ボックス２０は、略長方形の板状のベース部２２及び略立方体のカバー部２１から構成され、ベース部２２の表面に電源基板２５が設置されて、その電源基板２５を保護するように、カバー部２１が電源基板２５を覆っている。また、カバー部２１の正面２１ａには通風孔２３が複数設けられており、電源基板２５から発する熱が放出される。また、ベース部２２の左端には、電源基板ボックス２０を電源基板設置壁１１に設置するための、略立方体の係止部材２７，２９が上部及び下部に立設されている。また、右端にも略立方体の係止部材２６，２８が上部及び下部に立設されている。
【００２２】
また、図３及び図５に示すように、機構板１０の電源基板設置壁１１の左端にはフック１２，１３が縦方向に列設されており、右端には、板バネ１５が設けられている。この板バネ１５は、下端が機構板１０に固定されており、図３における左側へ付勢力が働いている。そして、電源基板ボックスの係止部材２６，２８が係止されるように、凹凸が形成されている。具体的には、機構板１０の電源基板設置壁１１の下部に立設された下壁１６の右端に、板バネ１５は上方向に立設されている。そして、電源基板ボックス２０の係止部材２８と対向する位置が、係止部材２８を包み込むようにコの字型に折り曲げられている。さらに、係止部材２６と対向する位置も係止部材２６を包み込むようにコの字型に折り曲げられている。
【００２３】
よって、電源基板ボックス２０は、係止部材２６，２８を板バネ１５の凹凸に係止させ、係止部材２７，２９をそれぞれフック１２，１３に係止させることにより、機構板１０に設置される。
【００２４】
次いで、主基板ベース３０の機構板１０への設置について説明する。図３に示すように、主基板ベース固定部材７０が機構板１０に設置され、この主基板ベース固定部材７０に主基板ベース３０が設置される。主基板ベース固定部材７０は略直方体形状をしており、前面が開放され、前面左上部及び右上部には、主基板ベース３０を回動可能に軸支するための軸穴７６，７７が水平方向に設けられている。また、背面壁７１の内側には、受部材６０を設置するための円筒である設置筒７４が立設されている。尚、図３においては、軸穴７７の影に隠れて図示されていないが、設置筒７４の右にはもう１つ設置筒が設けられている。また、背面壁７１の左右端にはビス穴１８，１９と対向する位置にビス穴（図示外）が設けられており、機構板１０へ設置する際にビス（図示外）が挿入される。
【００２５】
また、主基板ベース固定部材７０には、受部材６０が設置される。この受部材６０は主基板ベース３０を開放した状態で保持するためのものである。図３に示すように、受部材６０は、水平方向に横たわった楕円柱形状の基部６３と、基部６３の上部側面に略長方形であり、パチンコ機１の前面方向（図３における矢印Ｂ方向）に可撓性を有する素材、たとえばプラスチック樹脂で形成された板部６１とから構成されている。また、板部６１のパチンコ機１の背面側（図３における手前側）には、水平方向に棒状の係止受部６２が立設されている。また、基部６３の楕円柱内部には垂直方向支持板６６が渡されており、その左右端にそれぞれビス穴６４，６５が設けられている。このビス穴６４は、主基板ベース固定部材７０の設置筒７４と対抗する位置に設けられており、図示外の設置筒と対向する位置にビス穴６５が設けられており、ビス（図示外）により、受部材６０は主基板ベース固定部材７０に固定される。
【００２６】
次いで、図２，図３，図７乃至図１０を参照して、主基板ベース３０について説明する。主基板ベース３０は略長方形の板形状であり、左上、右上、左下、右下の４隅にそれぞれ主基板ボックス設置口３１，３２，３３，３４が設けられている。そして、主基板ベース３０の正面４９（図３における手前の面）に主基板ボックス５０が、主基板ボックス５０の背面に設けられた４つの係合爪（図示外）を主基板ボックス設置口３１，３２，３３，３４に係合することによって設置される。また、左下頂点近傍及び右下頂点近傍にはそれぞれ設置穴３８，３９が設けられている。そして、設置穴３８及び機構板１０の設置筒１４にビス（図示外）が挿入されて、機構板１０に設置される。尚、設置穴３９は遊技球流下機構８０を覆うカバー（図示外）にビス（図示外）で設置される。また、主基板ベース３０の上辺の左端及び略中央には水平方向に配置された略円柱形の軸３６，３７がそれぞれ水平方向に設けられている。そして、軸３６が主基板ベース固定部材７０の軸穴７６へ挿入され、軸３７が軸穴７７へ挿入されて、主基板ベース３０は主基板ベース固定部材７０に上下方向（図２における矢印方向）に回動可能に設置される。
【００２７】
また、右側の軸３７の左には主基板ベース３０を開放した状態で係止させるための係止部材３５が設けられている。この係止部材３５は、図１０に示すように、円柱状の基部３５１の側面に略長方形の係止板部３５２が立設されており、係止板部３５２から所定の角度（例えば、約１００度）開いた位置に略長方形の板部材３５３が立設されており、係止板部３５２と板部材３５３の成す中心角の内、小さいほうの角の内側には扇形の支持板３５４，３５５，３５６が立設されている。係止板部３５２は板部材３５３よりも基部からの高さ方向に長くなっている。
【００２８】
また、図７乃至図９に示すように、主基板ベース３０が開放されると、主基板ベース３０の回動に伴い、係止部材３５も回動する。すると、係止板部３５２の先端が受部材６０の係止受部６２に当接する。しかしながら、受部材６０は矢印Ｂ方向（図３参照）に可撓性を有しており、矢印Ｂ方向に撓むため、係止板部３５２は係止受部６２の下部まで移動することができる。そこで、主基板ベース３０を手放すと、主基板ベース３０は重力にしたがって下方向へ回動しようとするが、係止板部３５２が係止受部６２に係止しているため、主基板ベース３０は下方向へ回動せずに、開放された状態が保持される。
【００２９】
次に、図６乃至図９を参照して、主基板ベース３０の突出部材４０について説明する。主基板ベース３０の背面には、突出部材４０が立設されている。この突出部材４０は、電源基板ボックス２０からの距離を保つための部材であり、略長方形の突出壁４０１が主基板ベース３０の水平方向に立設され、その両端に略台形の突出壁４０２，４０３が立設されている。図６及び図８に示すように、この突出部材４０は、主基板ベース３０が閉じられると、電源基板ボックス２０のカバー部２１の正面２１ａに当接する。したがって、主基板ベース３０はカバー部２１から、突出部材４０の高さ分だけは必ず離れることになる。
【００３０】
尚、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【００３１】
上記実施の形態では、係止部材３５には１つの係止板部３５２が設けられており、主基板ベース３０は１箇所でしか止まらない。しかし、係止板部を複数設けることにより、主基板ベース３０を複数の位置で係止することができる。図１１は、係止部材３５の変形例である係止部材３５０の斜視図である。図１１に示すように、係止部材３５０には、係止部材３５と同様に、基部３５１の側面に係止板部３５２、板部材３５３、支持板３５４，３５５，３５６が立設されているが、さらに、係止板部３５２の板部材３５３の反対側に、所定の角度（例えば、約８０度）開いた位置に略長方形の第２係止板部３６０が立設されている。さらに、係止板部３５２と第２係止板部３６０との成す各の内側には、扇形の支持板３５７，３５８，３５９が立設されている。このように、係止部材３５０に２つの係止板部３５２，第２係止板部３６０を設けることにより、主基板ベース３０を開放した際に２つの位置で保持することができる。図１２は、第２係止板部３６０が係止受部６２に係止されている状態の断面図である。第２係止板部３６０は、係止板部３５２よりも板部材３５３からの距離が離れているので、主基板ベース３０をより高い位置において保持することができる。尚、板部材３５３と係止板部３５２とがなす角度は上記実施の形態の角度に限定されるものではなく、係止板部３５２と第２係止板部３６０とのなす角度も変形例に示すものに限定されるものではない。
【００３２】
また、主基板ベース３０の突出部材４１の変形例について説明する。図１３は、変形例の突出部材４１を備えた主基板ベース３０を備えた、図５におけるＣ−Ｃ’線における矢視方向の断面図である。図１３に示すように、突出部材４１は、上記実施の形態の突出部材４０よりも上方に配置されている。そして、主基板ベース３０の水平方向に立設されている突出壁４１１の先端側下部に切り欠きが設けられており、切り欠きが電源基板ボックス２０のカバー部の正面２１ａと上面２１ｂの成す角に嵌合し、切り欠きの下方向を向いている面４１１ｂがカバー部２１の上面２１ｂと対面し、切り欠きの奥方向（図１３における右方向）の面４１１ａがカバー部２１の正面２１ａと対面する。
【００３３】
尚、図３及び図４を参照して説明したように、電源基板ボックス２０は係止部材２６，２８を板バネ１５の凹凸に係止させ、係止部材２７，２９をそれぞれフック１２，１３に係止させることにより、機構板１０に設置されている。そこで、パチンコ機１を運搬する際に、パチンコ機１に対して上下方向に力が掛かるような場合には、電源基板ボックスがずれてしまう危険性がある。しかしながら、図１３に示すような、突出部材４１が設けられていれば、切り欠きの下方向を向いている面４１１ｂがカバー部２１の上面２１ｂと対面することにより、電源基板ボックス２０を下方向に押さえられるので、電源基板ボックス２０のズレを防止することができる。
【００３４】
また、図１４は、変形例の突出部材４２を備えた主基板ベース３０を備えた、図５におけるＣ−Ｃ’線における矢視方向の断面図である。電源基板ボックス２０のズレを防止する為であれば、図１４に示すように突出部材４２を電源基板ボックス２０のカバー部２１の上面２１ｂの上部に配置して、突出壁４２１が上面２１ｂと対面するようにしてもよい。
【００３５】
また、電源基板ボックス２０と主基板ボックス５０との距離も保つために、図１４に示した主基板ベース３０に、突出部材４２だけでなく、上記実施の形態で説明した図６に示すような突出部材４０も備えるようにして、突出部材を２つ備えてもよい。
【産業上の利用可能性】
【００３６】
本発明の遊技機はパチンコ機１に限られず、パチコン機、パチスロ機等の各種の遊技機に適用可能である。
【図面の簡単な説明】
【００３７】
【図１】本実施の形態のパチンコ機１の背面の斜視図である。
【図２】機構板１０に電源基板ボックス２０及び主基板ベース３０が取り付けられている状態の斜視図である。
【図３】図２の機構板１０、電源基板ボックス２０及び主基板ベース３０の分解斜視図である。
【図４】電源基板ボックス２０の正面図である。
【図５】機構板１０に電源基板ボックス２０が取り付けられている状態の正面図である。
【図６】図５におけるＣ−Ｃ’線における矢視方向の断面図である。
【図７】主基板ベース３０を開放した状態の斜視図である。
【図８】主基板ベース３０を開放した状態での、図５におけるＣ−Ｃ’線における矢視方向の断面図である。
【図９】図７における矢印Ｄ方向から主基板ベース３０を見た状態の部分斜視図である。
【図１０】係止部材３５の部分斜視図である。
【図１１】係止部材３５の変形例である係止部材３５０の斜視図である。
【図１２】第２係止板部３６０が係止受部６２に係止されている状態の断面図である。
【図１３】変形例の突出部材４１を備えた主基板ベース３０を備えた、図５におけるＣ−Ｃ’線における矢視方向の断面図である。
【図１４】変形例の突出部材４２を備えた主基板ベース３０を備えた、図５におけるＣ−Ｃ’線における矢視方向の断面図である。
【図１５】従来のパチンコ機１００の背面図である。
【符号の説明】
【００３８】
１  パチンコ機
１０  機構板
１２  フック
１３  フック
１５  板バネ
２０  電源基板ボックス
２１  カバー部
２５  電源基板
２６  係止部材
２７  係止部材
２８  係止部材
２９  係止部材
３０  主基板ベース
３５  係止部材
３６  軸
３７  軸
４０  突出部材
４１  突出部材
４２  突出部材
５０  主基板ボックス
６０  受部材
６１  板部
６２  係止受部
７０  主基板ベース固定部材
７６  軸穴
７７  軸穴
３５０  係止部材
３５２  係止板部
３６０  第２係止板部
４０１  突出壁
４１１  突出壁
４２１  突出壁
【図１】
2005261664.tif 000003
【図２】
2005261664.tif 000004
【図３】
2005261664.tif 000005
【図４】
2005261664.tif 000006
【図５】
2005261664.tif 000007
【図６】
2005261664.tif 000008
【図７】
2005261664.tif 000009
【図８】
2005261664.tif 000010
【図９】
2005261664.tif 000011
【図１０】
2005261664.tif 000012
【図１１】
2005261664.tif 000013
【図１２】
2005261664.tif 000014
【図１３】
2005261664.tif 000015
【図１４】
2005261664.tif 000016
【図１５】
2005261664.tif 000017